(57)【要約】【課題】設置箇所の形状に限定されることなく、簡易かつ安価に設置することが可能な太陽光発電システムを提供する。【解決手段】背面に隙間を有して所定個所に固定された固定用ネット１０と、固定用ネット１０の表面に並設された複数の太陽電池モジュール２１，２１，…と、を備える太陽光発電システム１であって、太陽電池モジュール２１が、固定用ネット１０の中央部分に配置されて、固定用ネット１０の外周部分に通気口Ｓａが形成されている。【選択図】図１
2010287598.tif 000002
【特許請求の範囲】
【請求項１】
背面に隙間を有して所定個所に固定された固定用ネットと、
前記固定用ネットの表面に設置された太陽電池モジュールと、を備える太陽光発電システムであって、
前記太陽電池モジュールが、前記固定用ネットの外周部分に通気口が形成されるように配置されていることを特徴とする太陽光発電システム。
【請求項２】
前記固定用ネットが、第一糸と第二糸との２本組構造になっており、
前記太陽電池モジュールが、前記第一糸に固定されていることを特徴とする、請求項１に記載の太陽光発電システム。
【請求項３】
複数の前記太陽電池モジュールが互いに間隔をあけて配置されていることを特徴とする、請求項１または請求項２に記載の太陽光発電システム。
【請求項４】
所定個所に固定された固定用ネットと、
前記固定用ネットに設置された太陽電池モジュールと、を備えてなることを特徴とする太陽光発電システム。
【発明の詳細な説明】
【技術分野】
【０００１】
本発明は、太陽光発電システムに関する。
【背景技術】
【０００２】
太陽電池の設置は、図９に示すように、屋上や壁面等に固定された専用架台１１０に、レールやフレーム等１１１を介して太陽電池モジュール１２０を設置するのが一般的である（例えば、特許文献１参照）。
【先行技術文献】
【特許文献】
【０００３】
【特許文献１】特開２００３−２０７６６号公報
【発明の概要】
【発明が解決しようとする課題】
【０００４】
ところが、前記従来の太陽電池の設置方法は、専用架台１１０やレール等１１１の設置作業に多くの手間を要し、また、資材等に費用が嵩むという問題点を有していた。
また、屋上棟屋等を有する建物の屋上に太陽電池を敷き詰める場合には、屋上棟屋の凸部形状に応じて専用架台等を加工する必要があり、その作業に手間を要していた。
【０００５】
本発明は、前記の問題点を解決することを目的とするものであり、設置箇所の形状に限定されることなく、簡易かつ安価に設置することが可能な太陽光発電システムを提供することを課題とする。
【課題を解決するための手段】
【０００６】
前記課題を解決するために、本発明の太陽光発電システムは、背面に隙間を有して所定個所に固定された固定用ネットと、前記固定用ネットの表面に設置された太陽電池モジュールと、を備える太陽光発電システムであって、前記太陽電池モジュールが、前記固定用ネットの外周部分に通気口が形成されるように配置されていることを特徴としている。
【０００７】
かかる太陽光発電システムは、固定用ネットを設置箇所の形状に応じて変形させることが可能なため、設置箇所の形状に関わらず、簡易に所望の位置に設置することが可能である。
【０００８】
また、部材点数が少ないため、安価である。
また、背面に隙間を設け、通気が可能となるように形成されているため、太陽電池モジュールに作用する風圧が低減されている。
【０００９】
前記固定用ネットが、第一糸と第二糸との２本組構造になっており、前記太陽電池モジュールが、前記第一糸に固定されていてもよい。
【００１０】
かかる太陽光発電システムによれば、固定用ネットが、太陽電池モジュールを固定することで変形することがないため、固定度が低下することが防止される。
【００１１】
前記太陽光発電システムにおいて、複数の前記太陽電池モジュールが互いに間隔を空けて配置されていてもよい。
このように太陽電池モジュールを配置することで、太陽電池モジュールの周囲に通気路が形成されるため、太陽電池モジュールに耐風圧基準以上の風圧が作用することが防止される。
【００１２】
また、太陽光発電システムは、所定個所に固定された固定用ネットと、前記固定用ネットに設置された太陽電池モジュールと、を備えたものであってもよい。
【発明の効果】
【００１３】
本発明の太陽光発電システムによれば、設置箇所の形状に限定されることなく、簡易かつ安価に設置することが可能となる。
【図面の簡単な説明】
【００１４】
【図１】本発明の好適な実施の形態に係る太陽光発電システムを示す斜視図である。
【図２】図１に示す太陽光発電システムであって、（ａ）は側面図、（ｂ）は平面図である。
【図３】（ａ）は図１に示す太陽発電システムの拡大平面図、（ｂ）は（ａ）のＡ部分の拡大図、（ｃ）は同断面図である。
【図４】太陽電池モジュールの他の取付方法を示す図であって、（ａ）は拡大平面図、（ｂ）は（ａ）のＢ部分の拡大図、（ｃ）および（ｄ）は同断面図である。
【図５】太陽電池モジュールのその他の取付方法を示す図であって、（ａ）は拡大平面図、（ｂ）は（ａ）のＣ部分の拡大図、（ｃ）は同断面図である。
【図６】太陽光発電システムの変形例を示す断面図である。
【図７】太陽光発電システムの他の変形例を示す断面図である。
【図８】太陽光発電システムのその他の変形例を示す斜視図である。
【図９】従来の太陽電池の設置方法を示す断面図である。
【発明を実施するための形態】
【００１５】
本発明の好適な実施の形態について、図面を参照して説明する。
本実施形態では、屋上棟屋を有する建物２の屋上に設置される太陽光発電システム１について説明する。
【００１６】
太陽光発電システム１は、図１に示すように、固定用ネット１０と固定用ネット１０の表面に設けられた太陽電池アレイ２０とにより構成されている。
【００１７】
太陽光発電システム１は、図２（ａ）に示すように、その背面と建物２との間に隙間Ｓを有した状態で設置されている。また、太陽電池アレイ２０は、図２（ｂ）に示すように、固定用ネット１０の中央部分に配置されていることで、隙間Ｓに通じる通気口Ｓａが太陽電池アレイ２０の周囲（固定用ネット１０の外周部分）に形成されている。
これにより、強風時において、通気口Ｓａを介して太陽電池アレイ２０の表裏の通気を促すとともに、本来風圧力（負圧）が大となる屋根面外周部を避けて太陽電池アレイ２０を設置することにより、太陽電池アレイ２０に作用する風圧を低減させることが可能となる。
【００１８】
固定用ネット１０は、図２（ａ）に示すように、固定部材３０を介して建物２の表面と隙間Ｓを有した状態で固定されている。
本実施形態では、図１に示すように、少なくとも固定用ネット１０の四隅と屋上棟屋の角部とにおいて固定用ネット１０を固定している。なお、固定部材３０の配置は限定されるものではなく、適宜設定することが可能である。
【００１９】
固定部材３０は、建物２の表面に立設された支柱を備えており、支柱の先端において固定用ネット１０を係止することで、固定用ネット１０の背面と建物２の表面との間に隙間Ｓを有した状態で固定用ネット１０を固定する。
【００２０】
なお、固定用ネット１０と建物２との間隔（固定部材３０の高さ寸法）は、強風時に風を通過させることで太陽電池アレイ２０に作用する風圧を低減させることが可能な寸法に設定する。
【００２１】
固定用ネット１０は、金属製の線材（図３に示す第一糸１１および第二糸１２）を格子状に組み合わせることにより形成されている。なお、線材を構成する第一糸１１および第二糸１２は、１本の鋼線（針がね等）であってもよいし、より線等であってもよい。また、固定用ネット１０を構成する線材は、超強力繊維により構成されていてもよく、その材質は限定されるものではない。
【００２２】
また、固定用ネット１０を構成する線材は、図３（ａ）に示すように、太陽電池モジュール２１（太陽電池アレイ２０）を係止するための第一糸１１と、固定用ネット１０の形状を維持して建物２に固定される第二糸１２との２本組構造になっている。
なお、線材は必ずしも２本組構造である必要はない。
【００２３】
太陽電池アレイ２０は、複数の太陽電池モジュール２１，２１，…が並設されることにより構成されている。
【００２４】
太陽電池モジュール２１は、光エネルギーを電力に変換するセルの集合体であり、平板状を呈している。太陽電池モジュール２１は、図示しない箱型の防護カバーに収容されている。なお、太陽電池モジュール２１の形状は限定されるものではない。また、太陽光発電システム１が有する太陽電池モジュール２１の数も限定されるものではない。
【００２５】
太陽電池モジュール２１同士は、図３に示すように、互いに間隔をあけた状態で配置されている。これにより、風を太陽電池モジュール２１同士の間を通過させて、太陽電池アレイ２０に作用する風圧を低減させる。
【００２６】
太陽電池モジュール２１の固定は、図３（ｃ）に示すように、太陽電池モジュール２１の側面に固定された固定金具２２を、固定用ネット１０の第一糸１１に係止することにより行う。
【００２７】
固定金具２２は、断面視コ字上のモジュール取付部２２ａと、モジュール取付部２２ａの底部に形成されたフック部２２ｂと、を備えて構成されている。
【００２８】
固定金具２２は、モジュール取付部２２ａにより太陽電池モジュール２１の側端部に固定されている。
フック部２２ｂは、レ字状に形成されており、第一糸１１を係止するとともに、第一糸１１の抜け出しを防止している。
【００２９】
太陽電池モジュール２１は、第一糸１１に固定金具２２を介して係止されることで、第一糸１１の張力により固定用ネット１０に固定されている。
【００３０】
本実施形態では、太陽電池モジュール２１の各辺に対して２ヶ所（計８箇所）に固定用金具２２を設置するものとするが、固定用金具２２の個数および配置は限定されるものではない。
【００３１】
太陽電池モジュール２１に接続される電気配線は、固定用ネット１０の糸（第二糸１２）に沿わせて部分的に固定することで配線する。
【００３２】
以上、太陽光発電システム１によれば、架台やレール等を使用するのではなく、形状を自由に変化させることが可能なネット（固定用ネット１０）を使用することで、太陽電池モジュールの設置箇所の自由度を向上させることが可能となった。
【００３３】
そのため、屋上棟屋等の凸部を有する屋上等、折れ点を有する設置箇所に対しても、簡易に設置することを可能としている。
ゆえに、多くの太陽光を受光することが可能な設置箇所に簡易に設置することが可能となる。また、太陽電池設置用の架台等を必要としないため、材料費の削減も可能としている。
【００３４】
太陽電池アレイ２０の周囲には通気口Ｓａが形成されており、また、太陽光発電システム１の背面と建物２との間には隙間Ｓが形成されているため、太陽光発電システム１に作用する風圧を低減させることができる。
また、太陽電池アレイ２０は、太陽電池モジュール２１が間隔をあけて配置されていることで形成されているため、太陽電池モジュール２１同士の間を風が通過させることでさらなる風圧の低減化が可能となる。
従って、台風等、強風が発生した場合であっても、太陽電池モジュール２１の台風圧基準値以上の風圧が太陽電池モジュール２１（太陽電池アレイ２０）に作用することを防止することが可能となる。
【００３５】
以上、本発明について、好適な実施形態について説明した。しかし、本発明は、前述の各実施形態に限られず、前記の各構成要素については、本発明の趣旨を逸脱しない範囲で、適宜設計変更が可能であることはいうまでもない。
【００３６】
例えば、太陽電池モジュール２１の固定用ネット１０への固定方法は、前記実施形態で示した方法に限定されるものではなく、適宜行えばよい。
太陽電池モジュール２１の他の固定方法としては、例えば図４に示すように、固定用ネット１０の線材（第一糸１１または第二糸１２）を太陽電池モジュール２１の周囲に設置された枠部材２３に挿通させるものとしてもよい。このとき、隣接する太陽電池モジュール２１同士は、隣り合う枠部材２３，２３に跨って配置された固定部材２４を介して連結する。なお、枠部材２３には、固定用ネット１０の線材（第一糸１１または第二糸１２）を挿通するための挿通孔２３ａ（図４（ｃ）参照）または欠き込み部２３ｂ（図４（ｄ））が形成されている。また、枠部材２３への固定部材２４の固定は、ビス２４ａ等の公知の治具を介して行えばよい。また、固定部材２４の構成等は限定されるものではなく、適宜設定することが可能である。
【００３７】
また、固定用ネット１０の線材（ワイヤ）１１’が１本の場合の太陽電池モジュール２１の固定方法としては、図５に示すように、固定部材２５を介して太陽電池モジュール２１を線材１１’に固定すればよい。例えば、図５（ｂ）および（ｃ）に示すように、固定部材２５のワイヤ固定部２５ｂにおいて線材１１’を把持させた状態で、固定部材２５に太陽電池モジュール２１の周囲に設置された枠部材２３を固定する。枠部材２３と固定部材２５の固定方法は限定されるものではないが、例えばビス２５ａにより螺着するなど、適宜行えばよい。なお、固定部材２５の構成等は限定されるものではなく、適宜設定することが可能である。
【００３８】
なお、固定用ネット１０の線材は、図５（ａ）に示すように、線材同士の交差部において、固定治具２６により固定されていてもよい。
【００３９】
また、前記実施形態では、建物２の屋上面または壁面から所定の隙間Ｓを有した状態で太陽光発電システム１を配置するものとしたが、図６に示すように、建物２の屋上等に空調設備の室外機等の機器設備２ａが設置されている場合には、機器設備２ａから所定の隙間Ｓを確保した状態で太陽光発電システム１を配置してもよい。
このとき、太陽光発電システム１は、ルーバー壁等、室外機等の周囲に立設された構造物３１を介して設置すればよい。
【００４０】
太陽光発電システム１は、通気口Ｓａを備えて形成されているため、機器設備２ａからの排気を大気へ排出することや、機器設備２ａに冷却風を当てることができる。
【００４１】
また、機器設備２ａの上方に張られた固定用ネット１０を介して太陽電池モジュール２１を配置するため、太陽電池モジュール２１による受光を妨げるものがなく、効率的な発電が可能となる。
また、太陽光発電システム１によれば、機器設備２ａの障害物が設置された建物２の屋上においても、広範囲に太陽電池モジュール２１を配置することができる。
【００４２】
また、太陽光発電システム１は、図７に示すように、折板屋根２ｂ上に設置してもよい。
太陽光発電システム１は、固定用ネット１０を固定することが可能であれば、設置箇所の形状に関わらず、設置することが可能なため、架台等を要することなく、簡易に折板屋根２ｂ上に直接設置することが可能である。
【００４３】
また、前記実施形態では、建物２の屋上に太陽光発電システム１を設置する場合について説明したが、太陽光発電システム１の規模は限定されるものではなく、例えば、図８に示すように、複数の建物の間に設置することも可能である。
【００４４】
また、前記実施形態では、複数の太陽電池モジュール２１を並設するものとしたが、太陽電池モジュール２１の数は限定されるものではなく、例えば１つの太陽電池モジュールを配置するなど、太陽光発電システム１の規模に応じて適宜決定すればよい。
また、太陽電池モジュール２１同士の間隔は必ずしもあけておく必要はない。
【００４５】
また、太陽光発電システム１は、壁面や地面に沿って配置してもよいし、海上等の水面に沿って配置してもよい。
【符号の説明】
【００４６】
１    太陽光発電システム
１０  固定用ネット
１１  第一糸
１２  第二糸
２０  太陽電池アレイ
２１  太陽電池モジュール
Ｓ    隙間
Ｓａ  通気口
【図１】
2010287598.tif 000003
【図２】
2010287598.tif 000004
【図３】
2010287598.tif 000005
【図４】
2010287598.tif 000006
【図５】
2010287598.tif 000007
【図６】
2010287598.tif 000008
【図７】
2010287598.tif 000009
【図８】
2010287598.tif 000010
【図９】
2010287598.tif 000011